(57)【要約】【課題】  本発明は、コストを考慮したうえで撮像装置を薄型化可能とすることを目的とする。【構成】  被写体像を光電変換し画像信号を出力する撮像素子部２０と、撮像素子部２０近傍に位置し、撮像素子部２０に入射する被写体光束が透過する複数の光学部材からなるフィルター部材（３０、５０）とを具備する撮像装置において、フィルター部材（３０、５０）は、第一フィルター部３０および第二フィルター部５０とから構成され、第一フィルター部３０は撮像素子部２０に固設される。【選択図】図４
2006270861.tif 000002
【特許請求の範囲】
【請求項１】
被写体像を光電変換し画像信号を出力する撮像素子部と、
前記撮像素子部近傍に位置し、前記撮像素子部に入射する被写体光束が透過する複数の光学部材からなるフィルター部材とを具備する撮像装置において、
前記フィルター部材は、第一フィルター部および第二フィルター部とから構成され、
前記第一フィルター部は前記撮像素子部に固設されることを特徴とする撮像装置。
【請求項２】
請求項１に記載の撮像装置において、前記第一フィルター部は複屈折板を含むことを特徴とする撮像装置。
【請求項３】
請求項１乃至２に記載の撮像装置において、前記撮像素子部は、光電変換する光電変換部と、前記光電変換部被写体光束入射面に配置されるカラーフィルターと、前記カラーフィルター被写体光束入射面前面に配置されるマイクロレンズとを具備し、前記第一フィルター部は、前記第一フィルター部と前記撮像素子部被写体光束入射面との間が防塵構造となるよう前記撮像素子部と接合されることを特徴とする撮像装置。
【発明の詳細な説明】
【技術分野】
【０００１】
本発明は撮像装置に関する。
【背景技術】
【０００２】
従来デジタルカメラ等に内蔵される撮像素子には、撮像素子前面を保護するカバーガラスが設けられ、さらに該撮像素子前面には偽色やモアレ等を軽減させるための光学ローパスフィルタ等が設けている。一方、光学ローパスフィルタを撮像素子前面に固設することにより、撮像素子前面を保護するために設けられていたカバーガラスを無くし撮像装置の薄型化したものがある（例えば特許文献１）。
【０００３】
また、近年、撮像素子を用いた撮像装置において画質の向上が求められている。これにともない、撮像素子前面に配置するフィルタの構成も複数の複屈折板からなる光学ローパスフィルタや、赤外光をカットする赤外カットフィルタ等のフィルタからなる複合フィルルターを用いるものがある。この場合光学ローパスフィルタを含む複合フィルタ自体高価なものとなってしまう。また、前記複合フィルタに、赤外カット用のコーティング等が施されるものもあり、この場合、複合フィルタはさらに高価なものとなる。
【特許文献１】特開平１４−３３４６８号公報
【発明の開示】
【発明が解決しようとする課題】
【０００４】
しかし、上述した特許文献１においては、撮像素子、又はフィルタいずれかに不具合が生じた場合であっても、撮像素子と共に、固設した高価なフィルタも廃棄しなければならず、コスト上大きな問題となる。
【０００５】
本発明は、コストを考慮したうえで撮像装置を薄型化可能とすることを目的とする。
【課題を解決するための手段】
【０００６】
上記問題点を解決するために、被写体像を光電変換し画像信号を出力する撮像素子部と、前記撮像素子部近傍に位置し、前記撮像素子部に入射する被写体光束が透過する複数の光学部材からなるフィルター部材とを具備する撮像装置において、前記フィルター部材は、第一フィルター部および第二フィルター部とから構成され、前記第一フィルター部は前記撮像素子部に固設される。
【発明の効果】
【０００７】
本発明における撮像装置は、薄型化可能となる。
【発明を実施するための最良の形態】
【０００８】
本発明における撮像部１の平面図を図１に、断面図を図２に示す。
撮像部１は、撮像素子固定部材１０、撮像素子部２０、第一フィルタ３０、スペーサ４０、第二フィルタ５０、枠６０、付勢枠７０とから構成される。
【０００９】
撮像部１の各部材およびそれらの構成について図３の構成図をもとに説明する。
撮像素子部２０は、ネジ８０により撮像素子固定部材１０に固定される。
撮像素子部２０は、CCD、MOS等の固体撮像素子チップ２１、カラーフィルタ２２、マイクロレンズ２３およびこれらを保持する筐体２４等より構成される。
【００１０】
撮像素子部２０の被写体光束入射面（以後各部材の被写体光束入射面を各部材の前面と称する）には、一枚の複屈折板からなる第一フィルタ３０が設置される。第一フィルタ３０は、マイクロレンズ２３前面と第一フィルタ３０との間が防塵構造となるよう固設される。
【００１１】
前記第一フィルタ３０の前面にはスペーサ４０が配置される。スペーサ４０は、中央に開口４１がもうけられている枠状部材であり、第一フィルタ３０と第二フィルタ５０との間隔および位置を調整するスペーサである。スペーサ４０は撮像素子部２０の筐体外枠にはめ込まれる。
【００１２】
第二フィルタ５０は、複屈折板５１、赤外カットフィルタ５２、位相板５３が貼り合わさった複合フィルタ光学部材である。第二フィルタは、スペーサ４０に設けられた段部４２にはめ込まれる。
【００１３】
枠６０は、枠の長辺部が第二フィルタ５０と当接するように第二フィルタ５０前面に配置される。
付勢枠７０は、ネジ８１によりその四隅を撮像素子固定部材１０に固定され、その枠の短辺部７１が付勢部として、枠６０の短辺部を付勢することにより、第二フィルタ５０、スペーサ４０を、第一フィルタ３０および撮像素子部２０を、撮像素子固定部材１０に固定する。
【００１４】
＜フィルタ構成＞
本実施の形態における第一フィルタ３０および第二フィルタ５０の構成について説明する。撮像部１の一部の構成の模式図を図４に示す。
【００１５】
第一フィルタ３０は、一枚の複屈折板からなる。
第二フィルタ５０は、複屈折板５１、赤外光カットフィルタ５２、位相板５３から構成さる。また、第二フィルタの被写体光束入射面、つまり複屈折板５１の前面には赤外カットおよび反射防止のためのコーティング５４が施されている。なお、複屈折板としては、例えば水晶やリチウムナイオベート（LiNbO3）等で良い。また、赤外カットコーディングとして、赤外光を反射するダイクロイックフィルター、ダイクロイックミラー等を用いても良い。
【００１６】
本実施の形態における撮像部１は、上述第一フィルタ３０および第二フィルタ５０の２つのフィルタを組合せて、光学ローパスフィルタおよび赤外カットフィルタの役割を担っている。
【００１７】
なお、光学ローパスフィルタや赤外カットフィルタ等の役割をなす各フィルタの構成枚数および構成部材は上述したものに限るものではない。例えば、上述の構成において、第一フィルタを位相板と複屈折板で構成する等、複数の光学部材で構成するとしても良い。この場合は、第二フィルタは複屈折板および赤外カットフィルタより構成される。
【００１８】
また、上述では、光学ローパスフィルタとしての構成部材として計２枚複屈折板を用いたがこれに限るものでは無く、複屈折板を１枚、又は３枚以上複数枚用いても良い。
以上のように、本実施の形態における撮像部１によれば、被写体光束の透過する光学部材が薄くなるため、光束の入射角度による画質低下が抑えられる。さらに、光学ローパスフィルタおよび赤外カットフィルタの役割を果たす光学フィルタを、第一のフィルタ３０と第二フィルタ５０に分離したため、第一フィルタを固設した撮像素子部２０又は第二フィルタのいずれかに不具合が生じた場合であっても、光学フィルタおよび撮像部全てを廃棄すること無く、不具合の生じた部材（例えば第一フィルタを固設した撮像素子部２０）のみ取り換えることができる。
【００１９】
また、上述のごとくカバーガラスの厚み分、撮像部の厚み方向に余裕が生じるため、撮像部を構成する部材、特にフィルタを構成する複屈折板や赤外カットフィルタの素材の選択や、撮像部自体の設計に自由度が生じる。
【００２０】
本発明を適用した撮像部を、デジタルカメラ、デジタルビデオカメラ等の撮像装置に用いることができる。該撮像装置では、撮像部が薄型化されることによりスペースが生じ、その他の部材の配置が容易となる。
【図面の簡単な説明】
【００２１】
【図１】撮像部１の平面図
【図２】撮像部１の断面図
【図３】撮像部１の構成図
【図４】撮像部１の模式図
【符号の説明】
【００２２】
１  撮像部
１０  撮像素子固定部材
２０  撮像素子部
３０  第一フィルタ
４０  スペーサ
５０  第二フィルタ
６０  枠
７０  付勢枠
８０、８１  ネジ
【図１】
2006270861.tif 000003
【図２】
2006270861.tif 000004
【図３】
2006270861.tif 000005
【図４】
2006270861.tif 000006